(57)【要約】      （修正有）【課題】タイルカーペット等の積層物品の周縁端面清掃装置を提供する。【解決手段】搬送機５０、５１上で順次搬送される平面視四角形形状の板状積層物品Ｐの周囲４辺を清掃する清掃装置１０である。搬送機５０、５１を跨ぐように配置した枠本体部１１と、前記枠本体部１１の上方部から下方に延長して回転する２本の固定回転ブラシと２本の移動回転ブラシ１６と、各回転ブラシを回転させるための電動モータとから成る。固定回転ブラシは搬送される積層物品Ｐの両側端面を清掃する。移動回転ブラシ１６は搬送機５０、５１の搬送方向に所定間隔をもって搬送方向と直交する方向に往復移動する。枠本体部１１の略中央高さ位置に搬送機５０から搬送される積層物品Ｐを搬送することができる搬送手段２０を組み込んだ。【選択図】図１
0003217795.tif 000002
【実用新案登録請求の範囲】
【請求項１】
搬送機上に載置され順次搬送される物品の周囲４辺を清掃するための装置であって、前記物品がタイルカーペットや合板等の平面視略四角形形状の板状物品を積層させたものであり、
前記搬送機を跨ぐように配置できる枠本体部と、前記枠本体部の上方部から下方に延長して回転する２本の固定回転ブラシと２本の移動回転ブラシと、各回転ブラシを回転させるための電動モータとから成り、
前記２本の固定回転ブラシは、搬送機の搬送方向と略直交する方向に配置され、両者の間隔を所定間隔に設定して固定することができ、
他の２本の移動回転ブラシは、搬送機の搬送方向に所定間隔をもって搬送機の搬送方向と直交する方向に往復移動することができることを特徴とする搬送物品の周縁端面清掃装置。
【請求項２】
前記枠本体部の略中央高さ位置に搬送機から搬送される物品を搬送することができる搬送手段を組み込んだことを特徴とする請求項１に記載の搬送物品の周縁端面清掃装置。
【請求項３】
前記固定回転ブラシ及び移動回転ブラシの高さ位置、又は、前記搬送手段の高さ位置を調整できる調整手段を前記枠本体部に設けたことを特徴とする請求項１又は２に記載の搬送物品の周縁端面清掃装置。
【考案の詳細な説明】
【技術分野】
【０００１】
本考案は、コンベア等の搬送機上を一定方向に搬送されて行く平面視略四角形形状の板状物品が積層された物品の周囲４辺の外周部端面を清掃する装置であって、前記外周部端面の繊維屑や糸屑、バリ、汚れ等々を除去するための装置に関するものである。
【背景技術】
【０００２】
従来、この種の装置の存在は、本願出願人の知る限り無かったものである。
【考案の概要】
【考案が解決しようとする課題】
【０００３】
本考案においては、タイルカーペットや合板等の略四角形形状からなる板状物品の周縁端面の繊維屑や糸屑、バリ、汚れ等を除去するための装置を提供することをその課題としている。
また、上記略四角形形状からなる物品を複数枚重ね合わせて梱包する前の搬送状態において上記清掃作業を行えるような装置を提供することをその課題としている。
【課題を解決するための手段】
【０００４】
上記課題を解決するために、本考案の第１のものは、搬送機上に載置され順次搬送される物品の周囲４辺を清掃するための装置であって、前記物品がタイルカーペットや合板等の平面視略四角形形状の板状物品を積層させたものであり、前記搬送機を跨ぐように配置できる枠本体部と、前記枠本体部の上方部から下方に延長して回転する２本の固定回転ブラシと２本の移動回転ブラシと、各回転ブラシを回転させるための電動モータとから成り、前記２本の固定回転ブラシは、搬送機の搬送方向と略直交する方向に配置され、両者の間隔を所定間隔に設定して固定することができ、他の２本の移動回転ブラシは、搬送機の搬送方向に所定間隔をもって搬送機の搬送方向と直交する方向に往復移動することができることを特徴とする搬送物品の周縁端面清掃装置である。
【０００５】
本考案の第２のものは、上記第１の考案において、前記枠本体部の略中央高さ位置に搬送機から搬送される物品を搬送することができる搬送手段を組み込んだことを特徴とする搬送物品の周縁端面清掃装置である。
【０００６】
本考案の第３のものは、上記第１又は第２の考案において、前記固定回転ブラシ及び移動回転ブラシの高さ位置、又は、前記搬送手段の高さ位置を調整できる調整手段を前記枠本体部に設けたことを特徴とする搬送物品の周縁端面清掃装置である。
【考案の効果】
【０００７】
本考案の第１のものにおいては、タイルカーペットや合板等の平面視略四角形形状の板状物品を積層させて搬送機上に載置し、次工程である梱包作業を行う前に、前記搬送機上にて物品の４辺周縁の端面の繊維屑、糸屑、バリ、及び汚れ等を上記２本の固定回転ブラシと２本の移動回転ブラシによって清掃することができる。
【０００８】
即ち、前記２本の固定回転ブラシが、積層された物品の両側の側縁端面を清掃でき、前記２本の移動回転ブラシが、積層された物品の前方及び後方の側縁端面を清掃することができる。
【０００９】
より具体的には、ベルトコンベア等の搬送機を跨ぐように本考案に係る清掃装置の枠本体部を配置し、前記搬送機上に搬送されて来た上記平面視略四角形形状の積層物品が前記枠本体部の内部の所定位置に位置したときに、搬送機の搬送を停止し、この際に両側の固定回転ブラシは物品の両側端面をすでに清掃開始しており、この停止した状態で、前記移動回転ブラシが物品の前方及び後方の周縁端面を往復しつつ清掃を行うことができるのである。
【００１０】
上記の移動回転ブラシの往復移動が完了後、搬送機の搬送が開始され、固定回転ブラシは物品の残余の両側端面を清掃しつつ、上記積層物品は清掃装置の内部から搬送機上を搬送されて清掃装置の外部へと搬送される。
以上の動作、作業が繰り返し行われ、積層物品は順次その４辺の周縁端面が清掃されて、上記清掃装置から搬出され、その後梱包工程へと搬送されるのである。
【００１１】
本考案の第２のものにおいては、前記枠本体部の略中央高さ位置に搬送機から搬送される物品を搬送することができる搬送手段を組み込んだものであり、この搬送手段は例えば網状又はネット上のベルトコンベアであってよく、この搬送手段の存在により、当該搬送手段の停止及び搬送開始の動作により前記枠本体部の内部に位置した積層物品を停止させ及び搬送開始させて当該搬送物品の４辺の周縁端面の清掃を完了し、その後枠本体部の外へと搬送させることができることとなる。
従って、この第２考案に係る清掃装置は、各種コンベア等の上記搬送機の間に配置させることができ、しかも、この搬送機の搬送動作を停止せずに使用することができることとなるのである。
【００１２】
本考案の第３のものにおいては、前記固定回転ブラシ及び移動回転ブラシの高さ位置、又は、前記搬送手段の高さ位置を調整できる調整手段を枠体本部に設けたことにより、固定回転ブラシ及び移動回転ブラシの高さ調整、或いは、上記第２の考案に係る枠本体部内部に設けた搬送手段の高さ調整を行うことが出来、その結果、本考案に係る清掃装置は適宜高さを有する搬送機に装備させることができることとなるのである。  
【図面の簡単な説明】
【００１３】
【図１】本考案の清掃装置に係る一実施形態の正面説明図である。
【図２】上記一実施形態の平面説明図である。
【考案を実施するための形態】
【００１４】
以下、添付の図面と共に本考案の実施形態について説明する。
図１は、本考案の清掃装置に係る一実施形態の正面説明図である。
図２は、同じく上記一実施形態の平面説明図である。
【００１５】
本考案に係る搬送物品の周縁端面清掃装置１０（以下単に「清掃装置」という。）は、縦横のフレームによって構成されるボックス形状の枠本体部１１と、枠本体部１１の上方部の縦フレーム１２、１２に固定された固定回転ブラシ１３、１３（図1ではこの固定回転ブラシは、煩雑化を避けるために図示省略している。）と、横フレーム１５、１５に固定された移動回転ブラシ１６、１６と、枠本体部１０の略中間高さ位置に設けられた搬送手段２０とから構成されている。
【００１６】
ここで、上記した縦フレーム及び横フレームとして使用した縦横の意味は、搬送機であるコンベア５０、５１の搬送方向を縦方向と、コンベア５０、５１の搬送方向と直交する方向を横方向と記載している。
【００１７】
枠本体部１０には、適宜補強フレームが架け渡されており、上記搬送手段２０の下方には、粉塵等の収集部２５が設けられ、枠本体部１０の下端には４つのコーナー部にキャスター２８がそれぞれ設けられている。
【００１８】
上記固定回転ブラシ１３、１３は、それぞれ縦フレーム１２、１２に固定されているが、これらの縦フレーム１２、１２は、その両端部に配設されている横フレーム１４、１４に固定されているが、この縦フレーム１２、１２は、その間隔が大小調整可能に上記横フレーム１４、１４と固定することができる。
【００１９】
上記移動回転ブラシ１６、１６は、それぞれ横フレーム１５、１５にそれぞれ固定され、この移動回転ブラシ１６、１６は、それぞれ横フレーム１５、１５に沿うように横方向に往復移動可能に設けられている。
【００２０】
より詳しくは、上記移動回転ブラシ１６、１６は、上記横フレーム１５に沿って設けられた油圧モータにより横フレーム１５に沿って往復動することができる。
固定回転ブラシ１３は、それぞれ縦フレーム１２に固定されて下方に延長するように設けられており、同様に移動回転ブラシ１６も、油圧モータに沿って移動する支持部から下方に延長するように設けられている。
【００２１】
上記固定回転ブラシ１３、１３及び移動回転ブラシ１６、１６は、後に説明するが、被清掃物品の４辺の周縁端面の清掃をそれぞれ行うことができる。
上記固定回転ブラシ１３及び移動回転ブラシ１６のそれぞれの回転は、その上端部に設けられたそれぞれの電動回転駆動モータにより行われる。
【００２２】
上記搬送手段２０としてはベルトコンベアを利用しているが、当該回動するベルトは金属製の網状のもの、或いはメッシュ状のものを使用し、清掃後の粉塵を下方に落下させることが出来る構成である。
【００２３】
また、上記搬送手段２０の高さ位置も枠本体部１０の略中間部で上下高さ位置を調整することができる構成を採用している。
これにより、工場等の既設の搬送機の高さ位置と一致させることができる。
【００２４】
以下、上記考案に係る清掃装置１０を設置し、使用する手順について説明する。
まず、工場等の既設の搬送機５０と搬送機５１との間に本考案に係る清掃装置１０を配置する。
搬送機５０、５１によって搬送される物品は、タイルカーペットや合板等の平面視略四角形形状の板状体のものを複数枚積層した積層物品が対象である。
【００２５】
これらの積層物品の周縁端面の繊維屑、糸屑、バリ、汚れ等を清掃するのが本考案に係る清掃装置の目的である。
清掃装置１０が搬送機５０、５１の間に配置された後に、清掃装置１０の略中間部に設けられた搬送手段２０の搬送面の高さと、前記搬送機５０、５１の搬送面の高さを合致させる。
【００２６】
次に、搬送されてくる積層物品の横方向の長さ（幅）に合致するように固定回転ブラシ１３、１３の間隔を調整し固定する。
同様に、搬送されてくる積層物品の縦方向（搬送方向の前後方向）長さに合致するように移動回転ブラシ１６、１６同士の間隔を調整して固定する。
【００２７】
積層物品Ｐは、所定間隔を開けて順次搬送機５０から矢印方向（図１）へと搬送されて来る。
清掃装置１０内の搬送手段２０も前記搬送機５０と同じ速度で回動しており、上記積層物品Ｐが清掃装置１０内の搬送手段２０の上に移動して、所定位置に到達したときに、当該搬送手段２０の動作が停止する。
【００２８】
この時点で、既にそのブラシが回転している上記固定回転ブラシ１３、１３は、搬送されてきた積層物品Ｐの両側の周縁端面の前端から中間部まで清掃が完了している。
次に、既にそのブラシが回転をしている移動回転ブラシ１６が搬送手段２０の搬送方向と直交する方向に往復移動を行い、積層物品の前方及び後方の周縁端面を清掃することができる。
【００２９】
上記移動回転ブラシ１６、１６による積層物品Ｐの前後の周縁端面の清掃が終了した時点で、上記搬送手段２０の搬送が開始され、積層物品Ｐは前方に位置する搬送機５１に移動して行き、１つの積層物品Ｐの４辺の周縁端面の清掃が完了する。
以上の動作を繰り返すことにより、順次積層物品Ｐの周縁端面の清掃を行うことができるのである。
【００３０】
以上、本考案についての一実施形態について説明したが、以下の通り本考案においては各種設計変更をすることができる。
まず第一に、上記実施形態において、搬送手段２０は、設けずに実施することも可能である。
【００３１】
即ち、工場等の既設の搬送機をそのまま利用して、本考案に係る清掃装置内に設けた搬送手段を省略することができるからである。
更に詳細には、上記枠本体部において搬送手段を設けずに、上記枠本体部を既設の搬送機を跨ぐような形態とし、既設の搬送機の上部に固定回転ブラシ及び移動回転ブラシを配置して積層物品の周縁端面を清掃できるようにすることが可能だからである。
【００３２】
その際には、積層物品が本考案に係る清掃装置の内部の所定位置に到達した際に、上記搬送機の搬送を停止し、移動回転ブラシの往復動作が終了した時点で、前記搬送機の搬送をスタートするように設定すればよいのである。
【００３３】
固定回転ブラシ及び移動回転ブラシに用いるブラシは各種のものを使用することができるが、腰の強い可撓性を有する合成樹脂製のブリッスルが植設されたものを使用することが好ましい。
【００３４】
往復移動する移動回転ブラシの往復動を行う動力は、上記のような油圧モータばかりでなく、電動モータと歯車を利用したものであってもよく、その駆動手段の採用は自由である。
【００３５】
枠本体部の下端部にはキャスターを設けたが、このキャスターにロック手段等を設けて枠本体部が移動しないような構成を付加することも極めて望ましい。
枠本体部の形状やサイズ等も自由に設計することができる。
補強フレームの配設も自由に行うことができる。
【００３６】
以上、本考案に係る搬送物品の周縁端面清掃装置は、これまでにないものであって、タイルカーペットや合板等の平面視略四角形形状の板状物品を積層させ、梱包前の状態の積層物品の４辺の周縁端面の清掃を行うことのできる極めて便利な清掃装置を提供することができたものである。
【符号の説明】
【００３７】
１０  周縁端面清掃装置
１１  枠本体部
１２  縦フレーム
１３  固定回転ブラシ
１４、１５  横フレーム
１６  移動回転ブラシ
２０  搬送手段
２５  収集部
２８  キャスター
５０、５１  搬送機
Ｐ  積層物品
【図１】
0003217795.tif 000003
【図２】
0003217795.tif 000004